【事件の表示】
　平成７年特許願第２２４７９３号「液晶表示モジュール」拒絶査定不服審判事件〔平成９年２月１８日出願公開、特開平９−５０２６４号〕について、次のとおり審決する。
【結　論】
　本件審判の請求は、成り立たない。
【理　由】
第１　手続の経緯
　本件は、平成７年８月９日にされた特許出願（平成７年特許願第２２４７９３号。以下「本件出願」という。）につき、平成１５年６月６日付けで拒絶査定がされたところ、同年７月１７日にこの拒絶査定に対する審判が請求されたものである。
　
第２　本件出願に係る発明
　本件出願の請求項１に係る発明（以下「本願発明」という。）は、平成１４年１２月１３日付け手続補正書により補正された明細書及び図面の記載からみて、その特許請求の範囲の請求項１に記載された以下のとおりのものである。
「【請求項１】　ＴＦＴアクティブマトリックス構成の液晶表示パネルと、
　上記液晶表示パネルの信号線電極の駆動信号を形成する信号線駆動回路と、
　上記液晶表示パネルの走査線電極の駆動信号を形成する走査線駆動回路と、
　上記信号線駆動回路と上記走査線駆動回路に接続されたコントロールＩＣとを有し、
　上記コントロールＩＣは、表示データと、表示方向を設定する制御信号に対応して表示方向に対応した表示データを取り込むためのクロックパルスを上記信号線駆動回路に供給するものであり、
　上記信号線駆動回路は、上記液晶表示パネルの信号線電極を分担してそれぞれが受け持つ複数の半導体集積回路装置からなり、かかる複数の半導体集積回路装置が左右の両方向からの配線により相互に接続されて、上記コントロールＩＣから供給される上記制御信号とクロックパルスに従って表示データを左右いずれかの方向から取り込むことを特徴とする液晶表示モジュール。」
　
第３　引用刊行物に記載された発明
　原査定の拒絶の理由に引用された特開平７−１３５１３号公報（平成７年１月１７日公開。以下「刊行物１」という。）には、図面とともに、以下の記載がされている。
　１　「【０００１】【産業上の利用分野】本発明は一般的に双方向信号伝送回路網に関する。具体的には双方向信号転送シフトレジスタに関する。双方向信号転送シフトレジスタは例えばアクティブマトリクス液晶表示装置の駆動回路に組み込まれ画像の反転表示に用いられる。」
　２　「【００１２】【実施例】以下図面を参照して本発明の好適な実施例を詳細に説明する。図１は本発明にかかる双方向信号転送シフトレジスタの基本的な構成を示すブロック図である。図示する様に、本シフトレジスタは、一対の入力端子ＩＮ及び出力端子ＯＴを各々備えた複数のフリップフロップＦＦから構成されており、入出力端子間を順次接続した多段構造を有する。なお、本例では理解を容易にする為フリップフロップＦＦは第１段から第３段まで３個の多段接続となっている。実際の応用を図る場合にはこの段数に特に制限はない。互いに隣り合う前後フリップフロップの前段側出力端子と後段側入力端子間の接続路には順路ゲート素子Ｒが介在しており、後段側出力端子と前段側入力端子間の接続路には逆路ゲート素子Ｌが介在している。例えば、図示の多段接続において、前段側を第１ＦＦとし後段側を第２ＦＦとすると、第１ＦＦの出力端子ＯＴと第２ＦＦの入力端子ＩＮの接続路には順路ゲート素子Ｒが介在している。又第２ＦＦの出力端子ＯＴと第１ＦＦの入力端子ＩＮ間の接続路には逆路ゲート素子Ｌが介在している。これら順路ゲート素子Ｒ及び逆路ゲート素子Ｌを択一的に開閉制御する事により、前段側から後段側への順方向信号転送（図では左側から右側への信号転送）と後段側から前段側への逆方向信号転送（図では右側から左側への信号転送）を切り換え選択可能とする。【００１３】図２を参照して、図１に示した双方向信号転送シフトレジスタの動作を詳細に説明する。（Ａ）は順方向信号転送を表わしており、各順路ゲート素子Ｒが開いている一方、各逆路ゲート素子Ｌは閉鎖されている。この為、矢印で示す様にスタート信号ＳＴは最初の順路ゲート素子Ｒを通過した後第１ＦＦの入力端子ＩＮに供給される。第１ＦＦはスタート信号ＳＴをクロック信号に同期して処理しその出力端子ＯＴに供給する。出力信号は次の順路ゲート素子Ｒを介して第２ＦＦの入力端子に供給される。同様にこの第２ＦＦは転送された信号の内部処理を行なった後出力端子ＯＴに供給する。出力信号は次の順路ゲート素子Ｒを介して第３ＦＦの入力端子ＩＮに転送される。最後に第３ＦＦの出力信号は最終の順路ゲート素子Ｒに到る。【００１４】（Ｂ）は逆方向信号転送を表わしており、逆路ゲート素子Ｌが開いている一方、順路ゲート素子Ｒは閉じている。スタート信号ＳＴは最初の順路ゲート素子Ｒが閉じている為第１ＦＦの入力端子ＩＮに供給できない。その代わり、バイパス路を介して最終の逆路ゲート素子Ｌを通過し、第３ＦＦの入力端子ＩＮに供給される。内部処理を施された転送信号は出力端子ＯＴから次の逆路ゲート素子Ｌを介して第２ＦＦの入力端子ＩＮに供給される。再び内部処理を受けた後転送信号は出力端子ＯＴから次の逆路ゲート素子Ｌを介して第１ＦＦの入力端子ＩＮに供給される。ここで内部処理を受けた転送信号は出力端子ＯＴから先頭の逆路ゲート素子Ｌに到る。【００１５】図３は、図１に示した双方向信号転送シフトレジスタの具体的な回路構成例を示す回路図である。図示を簡略化する為第１ＦＦ及び第２ＦＦとそれに付随する順路ゲート素子Ｒ及び逆路ゲート素子Ｌのみを示している。本例では、全ての回路素子は薄膜トランジスタ（ＴＦＴ）から構成されている。しかしながら本発明はこれに限られるものではなく、回路素子はバイポーラトランジスタあるいはＭＯＳトランジスタであっても良い。第１ＦＦ、第２ＦＦともにＤ型フリップフロップから構成されておりクロック制御型の信号伝送ブロックである。Ｄ型フリップフロップは第１及び第２のクロックトインバータと第３のインバータからなり、互いに逆相のクロック信号ＣＫ１、ＣＫ２に応じて動作し、入力端子ＩＮから入力された信号をクロック信号の半周期分だけ遅延して出力端子ＯＴに出力する。順路ゲート素子ＲはＣＭＯＳタイプのトランスミッションゲート素子からなり、逆路ゲート素子Ｌも同じくトランスミッションゲート素子である。なお本発明はこれに限られるものではなく、ゲート素子としてＮＭＯＳあるいはＰＭＯＳのみのアナログスイッチを利用しても良い。これらの順路ゲート素子Ｒ及び逆路ゲート素子Ｌは制御手段から供給される互いに逆相の制御信号ＣＴＲ、ＣＴＬにより制御されている。一方の制御信号ＣＴＲがハイレベルで他方の制御信号ＣＴＬがローレベルの時、順路ゲート素子Ｒが開かれ、逆路ゲート素子Ｌが閉じられる。従って、この時にはスタート信号ＳＴは最初の順路ゲート素子Ｒを通過した後第１ＦＦの入力端子ＩＮに供給される。ここで、クロック信号の半周期分だけ遅延処理を施された後出力端子ＯＴから次の順路ゲート素子Ｒを介して第２ＦＦの入力端子ＩＮに転送される。この様にして、スタート信号ＳＴは順次順方向に向かって転送されていく。一方、制御信号ＣＴＲがローレベルで制御信号ＣＴＬがハイレベルに切り換わった時、順路ゲート素子Ｒが閉じ逆路ゲート素子Ｌが開く。この場合には逆方向から転送されてきた信号が第２ＦＦの入力端子ＩＮに供給され所定の遅延処理を施された後、出力端子ＯＴから逆路ゲート素子Ｌを介して第１ＦＦの入力端子ＩＮに転送される。再び所定の遅延処理を施された後出力端子ＯＴから出力された転送信号は次の逆路ゲート素子Ｌに到る。」
　３　「【００１７】最後に図５を参照して、本発明にかかるアクティブマトリクス液晶表示装置の実施例を詳細に説明する。アクティブマトリクス液晶表示装置は所定の間隙を介して対面配置された一対の基板と該間隙内に保持された液晶層とからなるフラットパネル構造を有する。一方の基板には行方向に沿って配列したｎ本のゲート線Ｘ１、Ｘ２、…、Ｘｎと、列方向に沿って配列したｍ本のデータ線Ｙ１、Ｙ２、…、Ｙｍと、該ゲート線及びデータ線の交点に位置する能動素子（ＴＦＴ）Ｔ１１、Ｔ１２、Ｔ２１、Ｔ２２、…と、個々の能動素子により駆動される画素電極と、該ゲート線Ｘ１、Ｘ２、…、Ｘｎにゲート信号を線順次供給する垂直駆動回路１０と、該データ線Ｙ１、Ｙ２、…、Ｙｍにスイッチング素子Ｓ１、Ｓ２、…、Ｓｍを介してデータ信号ＳＩＧを線順次供給する水平駆動回路２０とが形成されている。他方の基板には対向電極ＣＯＭが形成されており個々の画素電極との間に液晶画素Ｌ１１、Ｌ１２、Ｌ２１、Ｌ２２、…を構成し、電位差に応じて所望の画像を表示する。かかる構成において、垂直駆動回路１０及び水平駆動回路２０の少なくとも一方は信号の線順次供給順序を順逆双方向に切り換え制御可能な双方向シフトレジスタを含んでおり、選択的に画像の反転表示を行なう。垂直駆動回路１０が双方向シフトレジスタを含んでいる場合には、選択的に画像の上下反転表示を可能とする。即ち、垂直駆動回路１０によりゲート信号を順次ゲート線Ｘ１からゲート線Ｘｎに向かって供給した場合には正転表示が得られ、逆にゲート線ＸｎからＸ１に向かってゲート信号を順次供給した場合には上下逆転表示が得られる。同様に、水平駆動回路２０が双方向シフトレジスタを含んでいる場合には、選択的に画像の左右反転表示が可能になる。即ち、水平駆動回路２０によりスイッチング素子をＳ１からＳｍの方向に走査した場合には、正転表示が得られる。逆に、スイッチング素子をＳｍからＳ１に向かって走査した場合には、左右逆転表示が得られる事になる。」
　４　「【００１８】【発明の効果】以上説明した様に、本発明によれば、互いに隣り合う前後フリップフロップの前段側出力端子と後段側入力端子間の接続路に順路ゲート素子を介在させ、後段側出力端子と前段側入力端子間の接続路に逆路ゲート素子を介在させる事により、順方向信号転送と逆方向信号転送を切り換え選択可能とし、簡単な構造で双方向信号転送シフトレジスタが実現できるという効果が得られる。この双方向信号転送シフトレジスタをアクティブマトリクス液晶表示装置の駆動回路に組み込む事により、容易に反転表示が実現できるという効果がある。」
　
第４　本願発明についての当審の判断
　本願発明と刊行物１に記載された発明とを対比すると、刊行物１に記載された能動素子（ＴＦＴ）を有するアクティブマトリクス液晶表示装置のパネル部分は、本願発明の「ＴＦＴアクティブマトリックス構成の液晶表示パネル」に相当する。刊行物１に記載された水平駆動回路２０は、データ線にデータ信号を供給し、制御信号とクロック信号に従ってデータ信号ＳＩＧを左右いずれかの方向から取り込む点で、本願発明の「信号線駆動回路」に相当する。刊行物１に記載された垂直駆動回路１０は、本願発明の「走査線駆動回路」に相当する。刊行物１に記載された液晶表示装置は、液晶により表示を行うものであるという点で、本願発明の「液晶表示モジュール」に相当する。また、刊行物１に記載された制御信号、クロック信号及びデータ信号は、それぞれ本願発明の「制御信号」、「クロックパルス」及び「表示データ」に相当する。
　そうすると、本願発明は、刊行物１に記載された発明と次の一致点で一致し、以下の相違点１及び２で相違する。
　一致点　本願発明と刊行物１に記載された発明とが「ＴＦＴアクティブマトリックス構成の液晶表示パネルと、上記液晶表示パネルの信号線電極の駆動信号を形成する信号線駆動回路と、上記液晶表示パネルの走査線電極の駆動信号を形成する走査線駆動回路と」を有し、「上記信号線駆動回路」は、「上記コントロール」部から供給される「制御信号とクロックパルスに従って表示データを左右いずれかの方向から取り込む」「液晶表示モジュール」である点。
　相違点１　本願発明では「コントロールＩＣ」を有し、これが「上記信号線駆動回路と上記走査線駆動回路に接続され」、「表示データと、表示方向を設定する制御信号に対応して表示方向に対応した表示データを取り込むためのクロックパルスを上記信号線駆動回路に供給する」ものであるのに対し、刊行物１に記載された発明ではこれが明確でない点。
　相違点２　本願発明では信号線駆動回路が「上記液晶表示パネルの信号線電極を分担してそれぞれが受け持つ複数の半導体集積回路装置からなり、かかる複数の半導体集積回路装置が左右の両方向からの配線により相互に接続されて」いるのに対し、刊行物１に記載された発明ではこれが明確でない点。
　相違点１について検討すると、コントローラを信号側と走査側の駆動回路に接続し、表示データとコントロール信号を供給することは、例えば特開昭６１−１６３３２３号公報にも記載され、周知であり、制御回路からクロックを供給することも、例えば特開平３−１４０９９６号公報にも記載され、周知であり、また回路をＩＣ化することは慣用手段であり、このような技術手段を刊行物１に記載された発明に適用して相違点１のようにすることは当業者が適宜に行い得ることである。
　相違点２について検討すると、信号線側の駆動回路を複数の集積回路とすることは、例えば特開平６−３４８２３１号公報、特開平４−１８８１０４号公報にも記載され周知であり、駆動回路を複数の回路が左右の両方向からの配線により相互に接続されるようにすることも、例えば特開平３−２０７１３号公報、上記特開平３−１４０９９６号公報にも記載され、周知であり、このような技術手段を刊行物１に記載された発明に適用して相違点２のようにすることは当業者が適宜に行い得ることである。
　本願発明の奏する効果についてみても、刊行物１に記載された発明及び周知慣用の技術手段から予測しうる範囲内のものであり、格別のものではない。
　したがって、本願発明は、当業者が刊行物１に記載された発明及び周知慣用の技術手段に基いて容易に発明をすることができたものである。
　
第５　まとめ
　以上のとおりであるから、本件出願の請求項１に係る発明である本願発明は特許法２９条２項の規定により特許を受けることができないものであり、その余の請求項に係る発明についての判断を示すまでもなく、本件出願は、拒絶をすべきものである。
　よって、結論のとおり審決する。